(57)【特許請求の範囲】
【請求項１】
被遮蔽部の両側部に相対して固定され互いに対向して挿入口を上下方向に形成したガイドレールと、この両側部のガイドレールの挿入口に幅方向の両側端部を挿入して上下方向に沿って昇降自在に設けられ下降時に前記被遮蔽部を遮蔽するシート体と、このシート体にて前記被遮蔽部を遮蔽する際にこの被遮蔽部の床面に着床する重錘体と、を具備し、
前記重錘体は、前記シート体を挿通する挿通口を開口したシート収容部と、このシート収容部の前記挿通口の開口縁部の対向する一方側に突設され前記シート体を案内する案内部と、前記挿通口の開口縁部の対向する他方側に前記案内部から離間する方向に傾斜して突設された係合部と、前記シート収容部内に前記シート体の下端部を弛ませて引出し可能に収容した状態で前記係合部と前記シート体を介して前記案内部との間に嵌合して前記シート収容部にシート体を引出し不能に保持しこの重錘体の着床時に前記シート体の保持を解除するシート保持解除体と、を有する、
ことを特徴とするスクリーン装置。
【請求項２】
案内部は、挿通口の開口縁部の一方側に下方に向かって略垂直状に突設された案内突片にて形成され、係合部は、挿通口の開口縁部の他方側に前記案内突片から離間する方向に向かって下降傾斜して突設された係合突片にて形成され、シート保持解除体は、前記係合突片と前記シート体を介して前記案内突片との間に係脱可能に嵌合してシート体を挟持する円筒状体にて形成されている、
ことを特徴とする請求項１記載のスクリーン装置。
【請求項３】
重錘体は、両端部に両側部のガイドレールの挿入口に昇降自在に挿入した挿入端部を有し、前記両側部のガイドレールは、下端部に前記重錘体の挿入端部を係脱可能に係合する進退可能なストッパー体をそれぞれ有し、これらストッパー体は、常時前記重錘体の挿入端部の下降位置に突出付勢されている、
ことを特徴とする請求項１記載のスクリーン装置。
【請求項４】
両側部のガイドレールは、ストッパー体を重錘体の挿入端部の下降位置から後退させた位置に位置決めする移動自在の位置決め体をそれぞれ有する、
ことを特徴とする請求項３記載のスクリーン装置。
【請求項５】
シート体は、不燃性耐火シート体にて形成され、重錘体は、不燃性重錘体にて形成されている、
ことを特徴とする請求項１乃至４のいずれかに記載のスクリーン装置。
【発明の詳細な説明】
【０００１】
【発明の属する技術分野】
本発明はスクリーン装置に係り、たとえば、火災時に煙りの拡散と延焼を防止するものに関する。
【０００２】
【従来の技術】
従来、この種のスクリーン装置としては、たとえば、火災時に煙りの拡散と延焼を防止する耐火スクリーン装置がある。この耐火スクリーン装置は、たとえば、両側部に相対して固定され対向して挿入口を上下方向に形成したガイドレールと、この両側部のガイドレールの挿入口に幅方向の両側端部を挿入して巻取軸にて昇降自在に設けられ前記両側部のガイドレール間を遮蔽する一枚仕立ての耐火シートと、この耐火シートの下端部に固定され前記両側部のガイドレール間の床面に着床する重錘体と、を具備した構成が採られている。そして、耐火シートは重錘体を着床して緊張した状態で両側部のガイドレール間の被遮蔽部を遮蔽するようになっている。
【０００３】
また、耐火シートの下端部に固定された重錘体を磁性体にて形成し、この重錘体が着床する位置の床面にこの重錘体を吸着する永久磁石を設け、この永久磁石にて被遮蔽部を遮蔽した耐火シートの下端部の重錘体を吸着支持する構成が採られているものもある。
【０００４】
【発明が解決しようとする課題】
前記従来の耐火スクリーン装置では、耐火シートの下端部に重錘体が固定されているため、火災時に重錘体が着床した状態で耐火シートが加熱された際はこの耐火シートが上方に収縮し、この熱収縮した耐火シートにて重錘体が持ち上げられ、この重錘体と床面との間に隙間が形成され、この隙間から煙りや熱風が流出することがある。
【０００５】
そこで、重錘体が着床した状態で耐火シートの上方への収縮量を考慮して耐火シートを上下方向に弛ませることが考えられるが、この耐火シートの弛ませ量が不足した場合には、熱収縮した耐火シートにて重錘体が持ち上げられ、この重錘体と床面との間に煙りや熱風が流出する隙間が形成されることがある、という問題がある。
【０００６】
また、床面に重錘体を吸着する永久磁石を設け、熱収縮した耐火シートにて重錘体の持ち上がりを防ぐ構成では、永久磁石の磁力は高温時には低減するため、永久磁石にて重錘体を吸着するのに必要な吸着力を得られないことがあり、この重錘体と床面との間に煙りや熱風が流出する隙間が形成されることがある、という問題がある。
【０００７】
本発明は、このような課題に鑑みてなされたもので、被遮蔽部を遮蔽した際にシート体が上方に熱収縮してもこのシート体にて重錘体を床面から持ち上げることを確実に防止でき、この重錘体と床面との間の気密性を確実に保持できるスクリーン装置を提供することを目的とするものである。
【０００８】
【課題を解決するための手段】
請求項１記載のスクリーン装置は、被遮蔽部の両側部に相対して固定され互いに対向して挿入口を上下方向に形成したガイドレールと、この両側部のガイドレールの挿入口に幅方向の両側端部を挿入して上下方向に沿って昇降自在に設けられ下降時に前記被遮蔽部を遮蔽するシート体と、このシート体にて前記被遮蔽部を遮蔽する際にこの被遮蔽部の床面に着床する重錘体と、を具備し、前記重錘体は、前記シート体を挿通する挿通口を開口したシート収容部と、このシート収容部の前記挿通口の開口縁部の対向する一方側に突設され前記シート体を案内する案内部と、前記挿通口の開口縁部の対向する他方側に前記案内部から離間する方向に傾斜して突設された係合部と、前記シート収容部内に前記シート体の下端部を弛ませて引出し可能に収容した状態で前記係合部と前記シート体を介して前記案内部との間に嵌合して前記シート収容部にシート体を引出し不能に保持しこの重錘体の着床時に前記シート体の保持を解除するシート保持解除体と、を有する、ものである。
【０００９】
そして、被遮蔽部を遮蔽する場合はシート体を下降することによりこのシート体にて被遮蔽部が遮蔽されるが、この際、シート体は、重錘体のシート収容部内に下端部を弛ませて収容した状態で係合部とシート体を介して案内部との間に嵌合したシート保持解除体にてシート収容部に保持され、これら相互が一体となって下降されるとともに、このシート体は幅方向の両側端部が両側部のガイドレールの挿入口に沿って、かつ、重錘体の重量によりスムーズに下降される。したがって、重錘体が被遮蔽部の床面に着床されることにより、この重錘体及びシート体にて被遮蔽部が確実に遮蔽される。
【００１０】
また、重錘体が被遮蔽部の床面に着床された着床時には、シート保持解除体がシート体を保持した係合部と案内部との間から外れ、このシート保持解除体にてシート体の保持が解除される。そして、シート収容部内に収容されたシート体の下端部がシート収容部の挿通口から引出し可能なフリーな状態に開放される。
【００１１】
つぎに、熱風、火炎等にてシート体が加熱されることによりこのシート体が上方に収縮すると、この熱収縮したシート体の下端部がその収縮量に応じて重錘体のシート収容部の挿通口からスムーズに引き出される。この際、シート体の下端部は着床した状態のままの重錘体のシート収容部の挿通口から引き出されることにより、このシート体にて重錘体が持ち上げられることが防止される。
【００１２】
したがって、シート体が上方に熱収縮してもこのシート体にて重錘体を床面から持ち上げることを確実に防止でき、この重錘体と床面との間の気密性が確実に保持され、この重錘体と床面との間に煙り、熱風、火炎等が流出する隙間が形成されることを確実に防止される。
【００１３】
請求項２記載のスクリーン装置は、請求項１記載のスクリーン装置において、案内部は、挿通口の開口縁部の一方側に下方に向かって略垂直状に突設された案内突片にて形成され、係合部は、挿通口の開口縁部の他方側に前記案内突片から離間する方向に向かって下降傾斜して突設された係合突片にて形成され、シート保持解除体は、前記係合突片と前記シート体を介して前記案内突片との間に係脱可能に嵌合してシート体を挟持する円筒状体にて形成されている、ものである。
【００１４】
そして、シート体の下降時では、シート体は重錘体のシート収容部内に下端部を弛ませて収容した状態で係合突片とシート体を介して案内突片との間に嵌合した円筒状体にてシート収容部に保持され、これら相互が一体となって下降されるとともに、このシート体は幅方向の両側端部が両側部のガイドレールの挿入口に沿って、かつ、重錘体の重量によりスムーズに下降される。したがって、重錘体が被遮蔽部の床面に着床されることにより、この重錘体及びシート体にて被遮蔽部が確実に遮蔽される。
【００１５】
また、重錘体が被遮蔽部の床面に着床された着床時には、円筒状体がシート体を保持した係合突片と案内突片との間から外れ、この円筒状体にてシート体の保持が解除される。そして、シート収容部内に収容されたシート体の下端部がシート収容部の挿通口から引出し可能なフリーな状態に開放される。
【００１６】
つぎに、熱風、火炎等にてシート体が加熱されることによりこのシート体が上方に収縮すると、この熱収縮したシート体の下端部がその収縮量に応じて重錘体のシート収容部の挿通口からスムーズに引き出される。
【００１７】
請求項３記載のスクリーン装置は、請求項１記載のスクリーン装置において、重錘体は、両端部に両側部のガイドレールの挿入口に昇降自在に挿入した挿入端部を有し、前記両側部のガイドレールは、下端部に前記重錘体の挿入端部を係脱可能に係合する進退可能なストッパー体をそれぞれ有し、これらストッパー体は、常時前記重錘体の挿入端部の下降位置に突出付勢されている、ものである。
【００１８】
そして、シート体の下降時では、重錘体は両挿入端部が両側部のガイドレールの挿入口に沿って下降され、この重錘体の両挿入端部が両側部のガイドレールの下端部に下降されると、この重錘体の両挿入端部がそれぞれストッパー体に当接される。そうして、この重錘体の両挿入端部にて両ストッパー体がそれぞれ押動され、この両ストッパー体が付勢力に抗してそれぞれ重錘体の両挿入端部の下降位置から後退される。
【００１９】
また、重錘体の両挿入端部が両ストッパー体を通過して下降すると、この両ストッパー体が付勢力にて重錘体の両挿入端部の下降位置にそれそれ突出され、この両ストッパー体にて着床した重錘体の両挿入端部が上方から係止される。
【００２０】
したがって、両側部のガイドレールの下端部に両ストッパー体にて重錘体が着床した状態で位置固定され、この重錘体と床面との間の気密性が確実に保持される。
【００２１】
請求項４記載のスクリーン装置は、請求項３記載のスクリーン装置において、両側部のガイドレールは、ストッパー体を重錘体の挿入端部の下降位置から後退させた位置に位置決めする移動自在の位置決め体をそれぞれ有する、ものである。
【００２２】
そして、たとえば、建物竣工時または定期検査時にはストッパー体を重錘体の挿入端部の下降位置から後退させた状態で、位置決め体をそれぞれ移動してストッパー体の前面に突出することにより、この位置決め体にてそれぞれのストッパー体を重錘体の挿入端部の下降位置から後退させた位置に固定される。
【００２３】
そうして、シート体及び重錘体の挿入端部がそれぞれのストッパー体に係合係止されることなく両側部のガイドレールの挿入口に沿ってシート体及び重錘体を容易に昇降テストまたはこれらを定期検査することができる。
【００２４】
請求項５記載のスクリーン装置は、請求項１乃至４記載のスクリーン装置において、シート体は、不燃性耐火シート体にて形成され、重錘体は、不燃性重錘体にて形成されている、ものである。
【００２５】
そして、被遮蔽部を遮蔽する場合には不燃性耐火シート体を下降することによりこの不燃性耐火シート体にて被遮蔽部が遮蔽されるが、この際、不燃性耐火シート体は、不燃性重錘体のシート収容部内に下端部を弛ませて収容した状態で係合部と不燃性耐火シート体を介して案内部との間に嵌合したシート保持解除体にてシート収容部に保持され、これら相互が一体となって下降されるとともに、この不燃性耐火シート体は幅方向の両側端部が両側部のガイドレールの挿入口に沿って、かつ、不燃性重錘体の重量によりスムーズに下降される。
【００２６】
したがって、不燃性重錘体が被遮蔽部の床面に着床されることにより、この不燃性重錘体及び不燃性耐火シート体にて被遮蔽部が確実に遮蔽される。
【００２７】
また、不燃性重錘体が被遮蔽部の床面に着床された着床時には、シート保持解除体が不燃性耐火シート体を保持した係合部と案内部との間から外れ、このシート保持解除体にて不燃性耐火シート体の保持が解除される。そして、シート収容部内に収容された不燃性耐火シート体の下端部がシート収容部の挿通口から引出し可能なフリーな状態に開放される。
【００２８】
つぎに、熱風、火炎等にて不燃性耐火シート体が加熱されることによりこの不燃性耐火シート体が上方に収縮すると、この熱収縮した不燃性耐火シート体の下端部がその収縮量に応じて不燃性重錘体のシート収容部の挿通口からスムーズに引き出される。この際、不燃性耐火シート体の下端部は着床した状態のままの不燃性重錘体のシート収容部の挿通口から引き出されることにより、この不燃性耐火シート体にて不燃性重錘体が持ち上げられることが防止される。
【００２９】
したがって、不燃性耐火シート体が上方に熱収縮してもこの不燃性耐火シート体にて不燃性重錘体を床面から持ち上げることを確実に防止でき、この不燃性重錘体と床面との間の気密性が確実に保持され、この不燃性重錘体と床面との間に煙り、熱風、火炎等が流出する隙間が形成されることを確実に防止される。そして、被遮蔽部の一方側から他方側に向かって熱風等の流出が防止され、火災時に熱風等の煙りの拡散と延焼が防止される。
【００３０】
【発明の実施の形態】
以下、本発明の一実施の形態を図面を参照して説明する。
【００３１】
１は出入口、非常口及び通路等の被遮蔽部２の相対する両側壁部にそれぞれ相対して垂直状に固定された上下方向の左右のガイドレールで、この左右のガイドレール１は互いに対向して上下方向の挿入口３を開口したレール基板４を有して断面略コ字形状に形成され、この両側部の挿入口３は対向する上下方向の案内片５にて形成されている。
【００３２】
また、前記左右のガイドレール１のレール基板４の下端近傍部に案内口６がそれぞれ形成され、この左右の案内口６の開口縁部にストッパーフレーム７がそれぞれ一体に固着され、この左右のストッパーフレーム７内に前記案内口６から左右のガイドレール１内の後述する不燃性重錘体の挿入端部の下降位置に出没するストッパー体８が進退自在に設けられている。
【００３３】
前記左右のストッパー体８は、上端部から前記挿入口３に向かって下降傾斜した係合斜板部９と、この係合斜板部９の下端部から前記ストッパーフレーム７に向かって水平状に形成された係止板部10と、前記係合斜板部９の途中裏面部に前記ストッパーフレーム７に突設されたホルダー部11に対向して突設されたホルダー部12を有して形成されている。
【００３４】
また、前記ストッパーフレーム７のホルダー部11にコイルスプリング13の一端部が嵌合され、このコイルスプリング13の他端部が前記係合斜板部９のホルダー部12に嵌合されている。そして、前記コイルスプリング13にて前記ストッパー体８の係合斜板部９が常時後述する不燃性重錘体の挿入端部の下降位置に突出するように付勢されている。
【００３５】
また、前記左右の案内口６の下方部に位置して前記左右のレール基板４に取付軸14がそれぞれ取り付けられ、この左右の取付軸14にこの取付軸14を中心として位置決め体15がそれぞれ移動自在にすなわち上下方向に回動自在に軸支されている。この位置決め体15は前記取付軸14を中心として上下方向に回動する細長い回動片16にて形成されている。そして、この回動片16にて前記ストッパー体８の係合斜板部９を後述する不燃性重錘体の挿入端部の下降位置から後退させた位置に位置決めするようになっている。
【００３６】
つぎに、前記被遮蔽部２の上框体等の上側壁部17には前記左右のガイドレール１の上端部をそれぞれ挿入したスクリーンボックス18が固定され、このスクリーンボックス18は下端部に前記左右のガイドレール１の挿入口３にそれぞれ連通して開口した左右方向のスクリーン案内口19が開口して形成されている。
【００３７】
また、前記スクリーンボックス18内には左右方向の巻取ドラム20を有する巻取軸21が回転自在に軸架され、この巻取軸21の一端部にはこの巻取軸21を回転駆動する回転輪22が固着されている。また、前記スクリーンボックス18内には正逆転可能なモータ23が固定され、このモータ23の出力軸24には前記回転輪22に対向する位置に駆動輪25が固着され、この駆動輪25と前記回転輪22との間には無端回行体26が回行自在に懸架されている。
【００３８】
前記モータ23は図示しない制御手段からの火災信号等の出力信号により作動され、このモータ23の出力は減速されて前記巻取軸21に伝達されるようになっている。また、前記モータ23は後述する不燃性重錘体が前記被遮蔽部２の床面27に着床した時点で前記制御手段からの停止信号により作動が停止されるようになっている。
【００３９】
つぎに、前記巻取ドラム20には前記被遮蔽部２を遮蔽する上下方向に沿って昇降自在のシート体28の一端部（上端部）が固着されて巻き付けられ、このシート体28は幅方向の両側端部を前記左右のガイドレール１の挿入口３に挿入した挿入部29としてそれぞれ形成されている。そして、前記シート体28は前記巻取ドラム20の巻き戻しにより幅方向の両側端部の挿入部29を前記左右のガイドレール１の挿入口３に挿入した状態で昇降され、その下降時に前記被遮蔽部２を遮蔽するようになっている。
【００４０】
前記シート体28は、燃えない耐火シート、燃え難い耐火シートからなる不燃性耐火シート体30にて形成され、この不燃性耐火シート体30は、たとえば、ガラスクロス、シリカクロス等からなる一枚仕立ての不燃性布地等にて形成されている。また、前記不燃性耐火シート体30の下端部に径大部31が形成されている。この径大部31は前記不燃性耐火シート体30の下端部を折り返して形成された円筒状部32と、この円筒状部32内に挿通された棒状材33と、により形成されている。
【００４１】
また、34は前記不燃性耐火シート体30にて前記被遮蔽部２を遮蔽する際に前記被遮蔽部２の床面27に着床する重錘体で、この重錘体34は燃えない材料、燃え難い材料からなる不燃性重錘体35にて形成されている。この不燃性重錘体35は、前記不燃性耐火シート体30の幅と略同長の第１の重錘部材36と、この第１の重錘部材36と同長の第２の重錘部材37と、前記第１の重錘部材36に前記第２の重錘部材37を固着する複数のボルト38と、を有して構成されている。しかして本明細書において不燃性耐火シート体30及び不燃性重錘体35の不燃とは燃えないこと、燃え難いことを意味している。
【００４２】
前記第１の重錘部材36は、前記床面27に着床する水平状の着床板部39と、この着床板部39の幅方向の両側縁部に相対して一体に立設された垂直板部40と、この相対する垂直板部40の上端部に互いに近接する方向に向かって水平状に突設された水平板部41と、この両水平板部41の内端部にて開口形成され前記不燃性耐火シート体30を挿通する挿通口42と、この挿通口42の開口縁部の対向する一方側に突設され前記不燃性耐火シート体30を案内する案内部43と、前記挿通口42の開口縁部の対向する他方側に前記案内部43から離間する方向に向かって下降傾斜して突設された係合部44と、を有して構成されている。
【００４３】
また、前記案内部43は前記挿通口42の開口縁部の対向する一方側に下方に向かって略垂直状に突設された案内突片45にて形成され、前記係合部44は前記挿通口42の開口縁部の対向する他方側に前記案内突片45から離間する方向に向かって下降傾斜して突設された係合突片46にて形成されている。また、前記挿通口42は前記不燃性耐火シート体30の下端部の径大部31より径小に形成されている。
【００４４】
前記第２の重錘部材37は、前記第１の重錘部材36内に位置して前記着床板部39に対向する水平状の仕切板部47と、この仕切板部47の幅方向に両側縁部に一体に立設され前記第１の重錘部材36の対向する垂直板部40に係合する取付板部48と、を有して構成されている。
【００４５】
そして、前記第１の重錘部材36の対向する垂直板部40の上下方向の略中間部に前記第２の重錘部材37の両取付板部48をそれぞれ係合し、この両垂直板部40に両取付板部48をそれぞれ複数の前記ボルト38にて固着することにより、第１の重錘部材36内に第２の重錘部材37が固定され、この第２の重錘部材37の仕切板部47と第１の重錘部材36の水平板部41とにより前記挿通口42を開口したシート収容部49が形成されている。
【００４６】
また、前記両垂直板部40の両側端部の近傍に前記左右のガイドレール１の相対する案内片５に沿って昇降する上下方向のガイド50がそれぞれ一体に固着され、このガイド50は平面視略コ字形状に形成されている。
【００４７】
さらに、前記第１の重錘部材36の両側端部は前記左右のガイドレール１の挿入口３に昇降自在に挿入した挿入端部51として形成され、この両挿入端部51に前記不燃性耐火シート体30の挿入部29より前記レール基板４に向かって突出された挿入端部としてのパイプ状の係合突体52がそれぞれ一体に突出されている。そして、この両係合突体52は前記左右のストッパー体８の係合斜板部９をコイルスプリング13に抗して押動してストッパー体８をそれぞれ後退させ、この係合斜板部９を通過した後はコイルスプリング13にて進出されるストッパー体８の係止板部10にてそれぞれ係止されるようになっている。
【００４８】
さらに、53は前記第１の重錘部材36の案内突片45と係合突片46との間に嵌合してシート収容部49内に下端部を引き出し可能に収容した不燃性耐火シート体30を挟持して引出し不能に保持しこの第１の重錘部材36の着床時に不燃性耐火シート体30の保持を解除するシート保持解除体で、このシート保持解除体53は前記案内突片45と係合突片46との間に係脱可能に嵌合して不燃性耐火シート体30を挟持して保持する円筒状体54にて形成されている。この円筒状体54は前記案内突片45及び係合突片46と略同じ長さで連続して一体のパイプ体または、前記案内突片45と係合突片46との間に断続的に嵌合する複数のパイプ体にて形成されている。
【００４９】
そして、前記第１の重錘部材36の挿通口42からシート収容部49内に不燃性耐火シート体30を挿通し、この不燃性耐火シート体30の下端部を折り畳むように弛ませて引き出し可能に収容した状態で第１の重錘部材36の案内突片45と不燃性耐火シート体30を介して係合突片46との間にシート保持解除体53すなわち円筒状体54を嵌合して、この円筒状体54にて不燃性耐火シート体30が位置決めされている。
【００５０】
したがって、第１の重錘部材36に不燃性耐火シート体30の下端部が引き出し可能に収容されているが、この不燃性耐火シート体30が巻取ドラム20に吊持された状態では、この不燃性耐火シート体30に対して不燃性重錘体35がこの不燃性重錘体35の重量により下降するように作用すると、この不燃性耐火シート体30と係合突片46との間に円筒状体54が挿通口42側に強く入り込み、この円筒状体54と案内突片45とにより不燃性耐火シート体30が確実に挟持され、この不燃性耐火シート体30から不燃性重錘体35が落下することを防止するようになっている。
【００５１】
つぎに、前記実施の形態の作用を説明する。
【００５２】
被遮蔽部２を遮蔽する際、たとえば、被遮蔽部２を遮蔽する火災時に制御手段からの火災信号によりモータ23が作動されると、このモータ23からの出力により巻取軸21がシート体28すなわち、不燃性耐火シート体30を巻き戻す方向に駆動回転され、この巻取軸21の巻取ドラム20にて不燃性耐火シート体30が順次巻き戻されるとともに、不燃性耐火シート体30の両挿入部29が左右のガイドレール１の挿入口３にそれぞれ案内されて下降され、かつ、この不燃性耐火シート体30の下端部の重錘体34すなわち、不燃性重錘体35の両挿入端部51が左右のガイドレール１の挿入口３にそれぞれ案内されながらこの不燃性重錘体35の重量によりスムーズにかつ迅速に下降される。
【００５３】
また、この不燃性重錘体35の両側端部の係合突体52が左右のガイドレール１の下端近傍部のストッパー体８の係合斜板部９にそれぞれ当接すると、この両係合突体52にて両係合斜板部９がそれぞれ押動され、この両ストッパー体８がコイルスプリング13に抗してそれぞれ後退される。そして、左右のガイドレール１の不燃性耐火シート体30の両挿入部29及び不燃性重錘体35の両挿入端部51の下降位置が開放され、この不燃性耐火シート体30及び不燃性重錘体35がそれぞれ更に下降される。
【００５４】
また、不燃性重錘体35の両側端部の係合突体52が両ストッパー体８の係合斜板部９から外れてこの不燃性重錘体35が被遮蔽部２の床面27に着床されるとともに、両ストッパー体８がそれぞれのコイルスプリング13の復帰力により不燃性重錘体35の両挿入端部51の下降位置に進出される。そして、この両ストッパー体８の係止板部10が不燃性重錘体35の両側端部の係合突体52上に突出され、この両ストッパー体８の係止板部10にて不燃性重錘体35の両係合突体52の上方への移動が阻止される。
【００５５】
また、不燃性重錘体35が被遮蔽部２の床面27に着床した時点でモータ23は制御手段からの停止信号により作動が停止され、巻取軸21の駆動回転が停止され、この不燃性耐火シート体30及び不燃性重錘体35にて被遮蔽部２が全面的に確実に遮蔽される。
【００５６】
さらに、不燃性重錘体35が被遮蔽部２の床面27に着床された着床時には、シート保持解除体53すなわち、円筒状体54が不燃性耐火シート体30を挟持した不燃性重錘体35の第１の重錘部材36の案内突片45と係合突片46との間から外れ、この円筒状体54にて不燃性耐火シート体30の保持が解除される。
【００５７】
この際、係合突片46は案内突片45から離間する方向に向かって下降傾斜して突出されているため、この案内突片45と係合突片46との間から円筒状体54が簡単に外れる。そして、第１の重錘部材36のシート収容部49内に収容された不燃性耐火シート体30の下端部がシート収容部49の挿通口42から引出し可能なフリーな状態に開放される。
【００５８】
つぎに、熱風、火炎等にて不燃性耐火シート体30が加熱されることによりこの不燃性耐火シート体30が上方に収縮すると、この熱収縮した不燃性耐火シート体30の下端部がその収縮量に応じて第１の重錘部材36のシート収容部49の挿通口42からスムーズに引き出される。この際、不燃性耐火シート体30の下端部は着床板部39を着床した状態のままの第１の重錘部材36のシート収容部49の挿通口42から引き出されることにより、この不燃性耐火シート体30にて第１の重錘部材36が持ち上げられることが防止される。
【００５９】
したがって、不燃性耐火シート体30が上方に熱収縮してもこの不燃性耐火シート体30にて不燃性重錘体35を床面27から持ち上げることを確実に防止でき、この不燃性重錘体35と床面27との間の気密性が確実に保持され、この不燃性重錘体35と床面27との間に煙り、熱風、火炎等が流出する隙間が形成されることを確実に防止され、この不燃性耐火シート体30及び不燃性重錘体35にて被遮蔽部２が確実に遮蔽される。そして、火災時の熱風等の流出が防止され、煙りの拡散と延焼が防止される。
【００６０】
つぎに、たとえば、建物竣工時または定期検査時には、左右のガイドレール１の下端近傍部のストッパー体８をコイルスプリング13に抗して不燃性重錘体35の挿入端部51の下降位置からストッパーフレーム７内にそれぞれ後退させた状態で、位置決め体15すなわち、回動片16を取付軸14を中心としてそれぞれ水平状態から垂直状態に回動することにより、この回動片16がストッパー体８の前面の係合斜板部９の下端部にそれぞれ当接され、この回動片16にてストッパーフレーム７内に後退された状態のストッパー体８がそれぞれ位置決めされる。
【００６１】
そして、この回動片16にてそれぞれのストッパー体８が不燃性重錘体35の挿入端部51の下降位置から後退させてストッパーフレーム７内に収容された状態で位置固定される。したがって、左右のガイドレール１内の不燃性重錘体35の挿入端部51の下降位置が開放される。
【００６２】
そうして、このような状態で、左右のガイドレール１に沿って不燃性耐火シート体30及び不燃性重錘体35を昇降して不燃性耐火シート体30及び不燃性重錘体35を昇降テストまたはこれらを定期検査することができるが、この際、不燃性重錘体35の挿入端部51がそれぞれのストッパー体８に係合係止されることなく容易に昇降テストまたはこれらを定期検査することができる。
【００６３】
【発明の効果】
請求項１の発明によれば、シート体は、重錘体のシート収容部内に下端部を弛ませて収容した状態で係合部とシート体を介して案内部との間に嵌合したシート保持解除体にてシート収容部に確実に保持することができ、これら相互が一体となって下降されるとともに、このシート体は幅方向の両側端部が両側部のガイドレールの挿入口に沿って、かつ、重錘体の重量によりスムーズに下降される。したがって、重錘体が被遮蔽部の床面に着床されることにより、この重錘体及びシート体にて被遮蔽部を確実に遮蔽できる。
【００６４】
また、重錘体が被遮蔽部の床面に着床された着床時には、シート保持解除体がシート体を保持した係合部と案内部との間から外れ、このシート保持解除体にてシート体の保持を確実に解除でき、シート収容部内に収容されたシート体の下端部をシート収容部の挿通口から引出し可能なフリーな状態に簡単に開放できる。
【００６５】
また、熱風、火炎等にてシート体が加熱されることによりこのシート体が上方に収縮すると、この熱収縮したシート体の下端部がその収縮量に応じて重錘体のシート収容部の挿通口からスムーズに引き出される。この際、シート体の下端部は着床した状態のままの重錘体のシート収容部の挿通口から引き出されることにより、このシート体にて重錘体を持ち上げられることを確実に防止できる。
【００６６】
したがって、シート体が上方に熱収縮してもこのシート体にて重錘体を床面から持ち上げることを確実に防止でき、この重錘体と床面との間の気密性を確実に保持でき、この重錘体と床面との間から煙り、熱風、火炎等が流出することを確実に防止できる。
【００６７】
請求項２の発明によれば、請求項１の発明の効果に加え、シート体の下降時では、シート体は重錘体のシート収容部内に下端部を弛ませて収容した状態で係合突片とシート体を介して案内突片との間に嵌合した円筒状体にてシート収容部に確実に保持することができ、これら相互が一体となって下降されるとともに、このシート体は幅方向の両側端部が両側部のガイドレールの挿入口に沿って、かつ、重錘体の重量によりスムーズに下降できる。したがって、重錘体が被遮蔽部の床面に着床することにより、この重錘体及びシート体にて被遮蔽部を確実に遮蔽できる。
【００６８】
また、重錘体が被遮蔽部の床面に着床された着床時には、円筒状体がシート体を保持した係合突片と案内突片との間から外れ、この円筒状体にてシート体の保持を確実に解除でき、シート収容部内に収容されたシート体の下端部をシート収容部の挿通口から引出し可能なフリーな状態に簡単に開放できる。
【００６９】
また、熱風、火炎等にてシート体が加熱されることによりこのシート体が上方に収縮すると、この熱収縮したシート体の下端部がその収縮量に応じて重錘体のシート収容部の挿通口からスムーズに引き出される。
【００７０】
請求項３の発明によれば、請求項１の発明の効果に加え、シート体の下降時では、重錘体は両挿入端部が両側部のガイドレールの挿入口に沿って下降され、この重錘体の両挿入端部が両側部のガイドレールの下端部に下降されると、この重錘体の両挿入端部がそれぞれのストッパー体に当接され、この重錘体の両挿入端部にて両ストッパー体をそれぞれ押動して両ストッパー体を付勢力に抗してそれぞれ重錘体の両挿入端部の下降位置から確実に後退させることができる。
【００７１】
また、重錘体の両挿入端部が両ストッパー体を通過して下降すると、この両ストッパー体が付勢力にて重錘体の両挿入端部の下降位置にそれぞれ突出され、この両ストッパー体にて着床した重錘体の両挿入端部を上方から確実に係止でき、したがって、両側部のガイドレールの下端部に両ストッパー体にて重錘体を着床した状態で確実に位置固定でき、この重錘体と床面との間の気密性を確実に保持できる。
【００７２】
請求項４の発明によれば、請求項３の発明の効果に加え、たとえば、建物竣工時または定期検査時にはストッパー体を重錘体の挿入端部の下降位置から後退させた状態で、位置決め体をそれぞれ移動してストッパー体の前面に突出することにより、この位置決め体にてそれぞれのストッパー体を重錘体の挿入端部の下降位置から後退させた位置に確実に位置固定できる。
【００７３】
そして、シート体及び重錘体の挿入端部がそれぞれのストッパー体に係合係止されることなく両側部のガイドレールの挿入口に沿ってシート体及び重錘体を容易に昇降テストまたはこれらを定期検査することができる。
【００７４】
請求項５の発明によれば、請求項１乃至４のいずれかの発明の効果に加え、不燃性耐火シート体は、不燃性重錘体のシート収容部内に下端部を弛ませて収容した状態で係合部と不燃性耐火シート体を介して案内部との間に嵌合したシート保持解除体にてシート収容部に確実に保持することができ、これら相互が一体となって下降されるとともに、この不燃性耐火シート体は幅方向の両側端部が両側部のガイドレールの挿入口に沿って、かつ、不燃性重錘体の重量によりスムーズに下降でき、したがって、不燃性重錘体が被遮蔽部の床面に着床されることにより、この不燃性重錘体及び不燃性耐火シート体にて被遮蔽部を確実に遮蔽できる。
【００７５】
また、不燃性重錘体が被遮蔽部の床面に着床された着床時には、シート保持解除体が不燃性耐火シート体を保持した係合部と案内部との間から外れ、このシート保持解除体にて不燃性耐火シート体の保持を確実に解除でき、シート収容部内に収容された不燃性耐火シート体の下端部をシート収容部の挿通口から引出し可能なフリーな状態に簡単に開放できる。
【００７６】
また、熱風、火炎等にて不燃性耐火シート体が加熱されることによりこの不燃性耐火シート体が上方に収縮すると、この熱収縮した不燃性耐火シート体の下端部がその収縮量に応じて不燃性重錘体のシート収容部の挿通口からスムーズに引き出され、この際、不燃性耐火シート体の下端部は着床した状態のままの不燃性重錘体のシート収容部の挿通口から引き出されることにより、この不燃性耐火シート体にて不燃性重錘体を持ち上げられることを確実に防止できる。
【００７７】
したがって、不燃性耐火シート体が上方に熱収縮してもこの不燃性耐火シート体にて不燃性重錘体を床面から持ち上げることを確実に防止でき、この不燃性重錘体と床面との間の気密性を確実に保持でき、この不燃性重錘体と床面との間から煙り、熱風、火炎等が流出することを確実に防止でき、火災時に煙りの拡散と延焼が防止できる耐火スクリーン装置を提供することができる。
【図面の簡単な説明】
【図１】本発明の一実施の形態を示すスクリーン装置の重錘体の側面図である。
【図２】同上重錘体の着床状態の側面図である。
【図３】同上スクリーン装置の正面図である。
【図４】同上側面図である。
【図５】同上ストッパー体の断面図である。
【図６】同上底面図である。
【図７】同上ストッパー体を後退させて位置決めした状態を示す断面図である。
【図８】同上側面図図である。
【符号の説明】
１    ガイドレール
２    被遮蔽部
３    挿入口
８    ストッパー体
15    位置決め体
27    床面
28    シート体
30    不難燃性耐火シート体
34    重錘体
35    不燃性重錘体
42    挿通口
43    案内部
44    係合部
45    案内突片
46    係合突片
49    シート収容部
51    挿入端部
52    挿入端部としての係合突体
53    シート保持解除体
54    円筒状体
【図１】
0003540548.tif 000002
【図２】
0003540548.tif 000003
【図３】
0003540548.tif 000004
【図４】
0003540548.tif 000005
【図５】
0003540548.tif 000006
【図６】
0003540548.tif 000007
【図７】
0003540548.tif 000008
【図８】
0003540548.tif 000009